(57)【特許請求の範囲】
【請求項１】
パーチクルボードの表面に化粧板を貼り付けた床板を床基盤上に所定の間隔をあけて張設した二重床に、二重床用収納装置を設置する施工方法であって、化粧板をパーチクルボードに貼り付ける前にパーチクルボードの所望箇所を切り抜いて開口部を形成し、次いで開口部の四周外縁を複数の高さ調節用の支脚を備えた支持材で下方から水平に支持させ、次いでパーチクルボードの表面に化粧板を貼り付け、次いで支持材の内側面に補助支持材を固定してその上に受枠を取付け、次いで開口部から下方に収納庫を収容して収納庫の上端フランジを受枠のフランジ受部に係止させ、次いで開口部に蓋体を嵌め込んで蓋体の四周端縁を受枠の蓋受部に係止させることを特徴とする二重床用収納装置の施工方法。
【請求項２】
収納庫が、深さ１５０ｍｍ未満の上端が開口した箱形のものである請求項１に記載の二重床用収納装置の施工方法。
【発明の詳細な説明】
【技術分野】
【０００１】
本発明は、多層集合住宅などの二重床に好適に設置される二重床用収納装置の施工方法に関する。
【背景技術】
【０００２】
従来より、一戸建の住宅においては、床の根太と根太の間に開口を形成し、この根太に固定した支持材に受枠を取付けて、収納庫本体の上端フランジ部を受枠のフランジ受部に係止させると共に、蓋体の四周縁を受枠の蓋受部に係止させた構造の床下収納庫が設置されている（特許文献１）。
【０００３】
一方、多層集合住宅において、床の衝撃音を低減させることを目的として、コンクリートスラブ等の床基盤上に１５０ｍｍ程度の間隔をあけて床板を張設した二重床を採用する場合は、床板を支える根太が存在しないため、一戸建住宅の場合のように根太を利用して床下収納庫を設置することができないという問題があった。
【０００４】
また、一戸建住宅の場合でも、根太を利用して床下収納庫を設置する以上、床下収納庫の設置箇所が根太と根太の間の床下空間に限定され、所望の箇所に床下収納庫を設置できないという問題があった。
【特許文献１】特開２００３−１９３６７３号公報
【発明の開示】
【発明が解決しようとする課題】
【０００５】
本発明は上記の問題に対処すべくなされたものであって、根太のない二重床の所望の箇所に二重床用収納装置を簡単に設置できる施工方法を提供することを解決課題としている。
【課題を解決するための手段】
【０００６】
上記の課題を解決するため、本発明の二重床用収納装置の施工方法は、パーチクルボードの表面に化粧板を貼り付けた床板を床基盤上に所定の間隔をあけて張設した二重床に、二重床用収納装置を設置する施工方法であって、化粧板をパーチクルボードに貼り付ける前にパーチクルボードの所望箇所を切り抜いて開口部を形成し、次いで開口部の四周外縁を複数の高さ調節用の支脚を備えた支持材で下方から水平に支持させ、次いでパーチクルボードの表面に化粧板を貼り付け、次いで支持材の内側面に補助支持材を固定してその上に受枠を取付け、次いで開口部から下方に収納庫を収容して収納庫の上端フランジを受枠のフランジ受部に係止させ、次いで開口部に蓋体を嵌め込んで蓋体の四周端縁を受枠の蓋受部に係止させることを特徴とするものである。
【０００７】
本発明においては、収納庫として、深さ１５０ｍｍ未満の上端が開口した箱形のものが好ましく使用される。
【発明の効果】
【０００８】
本発明の二重床用収納装置の施工方法によれば、従来の根太は全く不要であり、二重床の所望の箇所に開口部を簡単かつ体裁良く形成して二重床用収納装置を簡単に設置することができる。しかも、開口部の四周外縁を支持する支持材は複数の高さ調節用の支脚を備えたものであるから、床基盤に多少の不陸があっても開口部の四周外縁の水平出し作業を容易に行うことができ、受枠などに歪みを生じさせないで精度良く施工することができる。
【発明を実施するための最良の形態】
【０００９】
以下、図面を参照して本発明の具体的な実施形態を詳述する。
【００１０】
図１は本発明の施工方法によって二重床に設置された二重床用収納装置の平面図、図２は図１のＡ−Ａ線拡大断面図、図３は同装置の部分拡大断面図、図４は同装置に使用される高さ調節用の支脚を備えた支持材の斜視図である。
【００１１】
本発明の施工方法によって施工される二重床用収納装置は、図２、図３に示すように、床基盤であるコンクリートスラブ１の上に１５０ｍｍ程度の間隔をあけて床板２を張設した二重床に設置されるものであって、床板２に形成された開口部３の四周外縁を下方から支持する支持材４と、この支持材４の内側面に固定された補助支持材５と、この補助支持材５の上に取付けられた受枠６と、床板２の開口部３から下方に収容された収納庫７と、開口部３に嵌め込まれた蓋体８とで構成されている。
【００１２】
床板２はパーチクルボード２ａの表面に化粧板２ｂを貼り付けたものであり、その所望箇所に正方形の開口部３が形成されている。この開口部３の大きさは特に限定されないが、蓋板８の強度や耐荷重性などを考慮すると、一辺の長さが６０ｃｍ程度の正方形の開口部３とすることが好ましい。また、開口部３の形状は正方形に限定されるものではなく、長方形の開口部３としても勿論よい。
【００１３】
開口部３の形成は、後述する本発明の施工方法に従って、床板２の化粧板２ｂをパーチクルボード２ａに貼り付ける前にパーチクルボード２ａを正方形に切り抜き、この切り抜いた部分の四周外縁を下方から支持材４で支持させてから、この切り抜いた部分を除いて化粧板２ａを貼り付けることにより行うことが好ましい。このようにすると、化粧板２ｂをパーチクルボード２ａに貼り付けてから開口部３を形成する場合に比べて、開口部３を簡単かつ体裁良く形成できる利点がある。
【００１４】
床板２に形成された開口部３の四周外縁を支持する支持材４は、図４に示すような長短二種類の木製の角材からなるものであって、長い方の支持材４には３つのネジ孔４ａが、また、短い方の支持材４には２つのネジ孔４ａが形成されており、それぞれのネジ孔４ａには高さ調節用のネジ杆よりなる支脚４ｂが下方から螺入されている。そして、各支脚４ｂの下端には、滑り止め用のゴム座４ｃが取付けられている。
【００１５】
長い方の支持材４は、図１、図２に示すように、床板２に形成した開口部３の相対向する左右の外縁の下側に配置され、３本の支脚４ｂの螺入寸法（ねじ込み深さ）を調節することによって、開口部３の左右の外縁をコンクリートスラブ１の表面から所定の高さ（通常、１５０ｍｍ）となるように下方から水平に支持している。そして、短い方の支持材４は、図１，図２に示すように開口部３の前後の外縁の下側に配置され、２本の支脚４ｂの螺入寸法を調節することによって、開口部３の前後の外縁を上記と同じ所定の高さとなるように下方から水平に支持している。尚、長い方の支持材４を使用しないで、開口部３の四周外縁を短い方の支持材４のみで支持するようにしても勿論よい。
【００１６】
上記のように、床板２の開口部３の外縁を支持する支持材４は複数の高さ調節用の支脚４ｂを備えているため、開口部３の外縁を所望の高さに調節して支持することができ、コンクリートスラブ１に多少の不陸があっても、開口部３の外縁の水平出し作業を容易に行うことができる。従って、受枠６などに歪みが発生するのを防止して、精度良く施工することができる。
【００１７】
各支持材４に取付けられる補助支持材５は受枠６を支持するもので、開口部３の一辺の長さよりも少し短い木製の角材からなり、ネジ等の止具で各支持材４の内側面に固定されている。
【００１８】
この補助支持材５の上に取付けられる受枠６は、アルミニウム等の金属の押出型材を方形に枠組みしたものあって、図３に示すような略階段状の断面形状を備えており、その下端内側には収納庫７の上端フランジ７ａを係止させるフランジ受部６ａが形成されている。そして、この受枠６の上端には外向きのフランジ部６ｂが形成され、このフランジ部６ｂと下端のフランジ受部６ａとの中間部には、蓋体８の四周端縁を係止させる蓋受部６ｃが形成されている。この蓋受部６ｃには、気密パッキン（不図示）等を必要に応じて取り付けるための凹溝６ｄが形成されており、この凹溝６ｄの孔からネジ等の止具を補助支持材５にねじ込むことによって、受枠６が補助支持材５に固定されている。
【００１９】
収納庫７は上端が開口した箱形の合成樹脂成形品からなるもので、開口部３の下方に収容できるように収納庫の深さが１５０ｍｍ未満に設定されており、その上端開口縁に外向きに形成された上端フランジ７ａを受枠６のフランジ受部６ａに係止させることによって脱着自在に取付けられている。
【００２０】
また、蓋体８は、金属基板８ａの上に前記床板２の化粧板２ｂと同材質の化粧板８ｂを貼合せてその四周に金属製の蓋枠８ｃを取付けた正方形の蓋体であり、図２に示すように蓋体８の裏面には補強材８ｄが止具で固定され、図１に示すように蓋体８の表面には出没自在な取手８ｅが取付けられている。この蓋体８は、床板の開口部３（受枠６）の内側に嵌め込まれてその四周端縁が受枠６の蓋受部６ｃに係止されており、表面の取手８ｅを持ち上げると蓋体８が開くようになっている。
【００２１】
以上のような構成の二重床用収納装置は、本発明の施工方法によって、次の要領で二重床に設置される。
【００２２】
まず、床板２の化粧板２ｂを貼り付ける前にパーチクルボード２ａの所望の箇所を正方形に切り抜いて開口部３を形成し、次いで、開口部３の四周外縁を高さ調節用の支脚４ｂを備えた支持材４で下方から水平に支持させる。そして、パーチクルボード２ａの表面に床板の化粧板２ｂを貼り付ける。上記のように開口部３の四周外縁を支持材４で水平に支持させる作業は、コンクリートスラブ１の表面に多少の不陸があっても、支持材４の高さ調節用の支脚４ｂによって簡単かつ正確に行うことができる。
【００２３】
次いで、各支持材４の内側面に補助支持材５を止具で固定し、その上に正方形の受枠５を載置して止具で固定する。そして、収納庫７を開口部３から下方に収容してその上端フランジ７ａを受枠６のフランジ受部６ａに係止させ、次いで、その上から蓋体８を開口部３に嵌め込んでその四周端縁を受枠６の蓋受部６ｃに係止させると、二重床用収納装置が完成する。
【００２４】
このように、本発明の二重床用収納装置の施工方法は、根太のない二重床において、床板２の所望箇所に開口部３を簡単かつ体裁良く形成して二重床用収納装置を簡単に施工、設置することができ、コンクリートスラブ（床基盤）１の表面に多少の不陸があっても、支持材４の支脚４ｂを調節することで開口部３の四周外縁を下方からガタツキなく水平に支持して歪みをなくし、施工精度や施工仕上がりを向上させることができるといった効果を奏する。
【図面の簡単な説明】
【００２５】
【図１】本発明の施工方法によって二重床に設置された二重床用収納装置の平面図である。
【図２】図１のＡ−Ａ線拡大断面図である。
【図３】同装置の部分拡大断面図である。
【図４】同装置に使用される高さ調節用の支脚を備えた支持材の斜視図である。
【符号の説明】
【００２６】
１    コンクリートスラブ（床基盤）
２    床板
２ａ  パーチクルボード
２ａ  化粧板
３    開口部
４    支持材
４ｂ  高さ調節用の支脚
５    補助支持材
６    受枠
６ａ  フランジ受部
６ｃ  蓋受部
７    収納庫
７ａ  上端フランジ
８    蓋体
【図１】
0004776337.tif 000002
【図２】
0004776337.tif 000003
【図３】
0004776337.tif 000004
【図４】
0004776337.tif 000005